(57)【要約】【課題】隠し文字等潜像を有する多色オフセット印刷物において、この潜像が肉眼では視認されにくく、偽造、複製が困難で、かつその潜像の顕像が見やすく真偽判定のし易い潜像を有する多色印刷物とその顕像化方法の提供にある。【解決手段】多色オフセット印刷の集版工程で、４色版のうちの黄版に非潜像部２４とスクリーン線数が同一で角度が異なる網点でなる潜像部２２が施されている潜像を有する多色印刷物１としたもので、この多色印刷物１を、その網点を強調してスキャナー装置に取り込み、それを構成する黄版のみを前記スキャナー装置上に取り出し、その潜像部と同一のスクリーン角度でなる平網像を合成してその潜像部にモアレを発生せしめる潜像を有する多色印刷物の顕像化方法とするものである。【選択図】図１
2004230572.tif 000002
【特許請求の範囲】
【請求項１】
多色オフセット印刷のための集版工程で、多色印刷物を構成する多色版のうちの１版に非潜像部とスクリーン線数が同一でスクリーン角度が異なる網点でなる潜像部が施されていることを特徴とする潜像を有する多色印刷物。
【請求項２】
上記多色印刷物を構成する多色版のうちの１版が黄版であることを特徴とする請求項１記載の潜像を有する多色印刷物。
【請求項３】
上記請求項１の潜像を有する多色印刷物を、その網点を強調してスキャナー装置に取り込み、取り込まれた多色印刷物を構成する多色版のうちの１版のみをレタッチソフトにより前記スキャナー装置上に取り出し、潜像部と同一のスクリーン線数とスクリーン角度でなる平網像を重ね合わせてその潜像部にモアレを発生せしめることを特徴とする潜像を有する多色印刷物の顕像化方法。
【請求項４】
上記多色印刷物を構成する多色版のうちの１版が黄版であることを特徴とする請求項３記載の潜像を有する多色印刷物の顕像化方法。
【請求項５】
上記平網像の網点面積率は、４０％〜６０％の範囲であることを特徴とする請求項３または４記載の潜像を有する多色印刷物の顕像化方法。
【発明の詳細な説明】
【０００１】
【発明の属する技術分野】
本発明は、隠し文字等機密データが施されている印刷物に関するものであり、特に網点で階調のある多色オフセット印刷物に隠し文字等機密データを施して、その偽造や複製を防止する潜像を有する多色印刷物およびその顕像化方法に関する。
【０００２】
【従来の技術】
従来、印刷物中に隠し文字や絵柄、記号等機密データを施して、その偽造や複製を防止する印刷技術は、株券、商品券等有価証券類に適用されているものが殆どで、その印刷技術の一つとして、例えば万線が略１対１の幅の潜像部と非潜像部とでなり、その万線が潜像部と非潜像部で位相を１／２ピッチずらしてある印刷物に、この万線と同形状の万線パターンを有する万線フィルムを重ね合わせると潜像部のみが像として浮かび上がって見えるようになる「万線モアレ方式」という技術を用いた方法がある。この技術をさらに詳しく説明すると、例えば図８の上面図に示すように、幅とピッチが略１対１の万線パターンがハート型の潜像部（２２）とそれ以外の非潜像部（２４）とを形成し、図８に示すＡ部の部分拡大図として図９に示すように、潜像部（２２）と非潜像部（２４）の万線パターンの万線方向が同方向で、その位相を１／２ピッチずらしてあり、この像を万線モアレ像（３）といい、図１０の上面拡大図に示すように、この万線と略同形状（万線幅（Ｗ）とピッチ（Ｐ））の万線パターンを有する万線フィルム（３４）を重ね合わせると、非潜像部（２４）がこの万線フィルム（３４）の万線パターンで隠され、図１１に示すように、潜像部（２２）のみがハート型の画像として浮かび上がって見えるようになるものである。この万線モアレ像（３）を偽造防止用として使用する場合、図８に示すように、潜像部（２２）の近傍に例えば三角形の可視像（３６）を形成しておき、通常肉眼では三角形の可視像（３６）のみが見えているので、一見してこの可視像（３６）が偽造防止策と思わせるもので、実質の真偽判定は、図１０に示すように、上記万線フィルム（３４）をこの万線モアレ像に重ね合わせることによって、図１１に示すように、可視像（３６）に加えハート型の潜像部（２２）の有無で行うものである。
【０００３】
しかし、上記の「万線モアレ方式」の技術を利用した方法は、パターン自体は比較的単純であるため、その偽造防止等に気付き、それなりの知見と技術のある者であれば容易に作製可能なものであり、偽造防止という点では問題のあるものであった。
【０００４】
そこで上記の「万線モアレ方式」の技術を利用した方法の問題点を解決するものとして、例えばパターンが点、線、点線等を構成要素とする潜像と前記点、線、点線等とは大きさが異なる点、線、点線等を構成要素とする模様とバックグランドとを持つか、あるいはある色相の点、線、点線等を構成要素とする潜像とバックグランドと他の色相の点、線、点線等を構成要素とする模様とを持ち、かつこの潜像の構成要素はバックグランドの構成要素の持たない規則的な配列を持つもので、これに適当な模様の施された可視化補助体を適当な位置、角度で重ねることにより、前記潜像の部分のみモアレを生じて、前記潜像とバックグランドがはっきり対照して現れるようにした暗証印刷物がある（例えば、特許文献１参照。）。
【０００５】
【特許文献１】
特公昭６０−６４５号公報
【０００６】
しかしながら、上記暗証印刷物では、「万線モアレ方式」の技術に比べれば複雑化していて偽造や複製は困難となっているが、色が単色であることに加え、点、線、点線でなるパターンが潜像部で大きさ等が異なっていることなどから、潜像が視認され易いものとなり、かつその顕像化（真偽判定）でモアレのコントラストが小さく、判定しにくいという問題点のあるものであった。
【０００７】
【発明が解決しようとする課題】
本発明は、かかる従来技術の問題点を解決するものであり、その課題とするところは、網点で階調のある隠し文字等潜像を有する多色オフセット印刷物において、この隠し文字等潜像が肉眼では視認されにくく、偽造、複製が困難で、かつその隠し文字等潜像の顕像が見やすく真偽判定のし易い潜像を有する多色印刷物とその顕像化方法を提供することにある。
【０００８】
【課題を解決するための手段】
本発明に於いて上記課題を達成するために、まず請求項１の発明では、多色オフセット印刷のための集版工程で、多色印刷物を構成する多色版のうちの１版に非潜像部とスクリーン線数が同一でスクリーン角度が異なる網点でなる潜像部が施されていることを特徴とする潜像を有する多色印刷物としたものである。
【０００９】
上記請求項１の発明によれば、多色オフセット印刷のための集版工程で、多色印刷物を構成する多色版のうちの１版のみに、バックグランドである非潜像部とスクリーン線数が同じでスクリーン角度が異なる網点でなる潜像部が形成されているので、一見してその隠し文字等となる潜像部が視認しにくく、偽造防止効果のある潜像を有する多色印刷物とすることができる。
【００１０】
また、請求項２の発明では、上記多色印刷物を構成する多色版のうちの１版が黄版であることを特徴とする請求項１記載の潜像を有する多色印刷物としたものである。
【００１１】
上記請求項２の発明によれば、上記多色印刷物を構成する多色版のうちの１版を黄版とすることによって、潜像を有する多色印刷物の黄色部は肉眼ではその調子などが見にくいので、それに施されている潜像部は、バックグランドとなる非潜像部との区別が全くつかず、よってその潜像部はほとんど視認することができない潜像を有する多色印刷物とするもので、その結果潜像の存在に気がつかず、偽造防止効果をより完全にした潜像を有する多色印刷物を提供できる。
【００１２】
また、請求項３の発明では、上記請求項１の潜像を有する多色印刷物を、その網点を強調してスキャナー装置に取り込み、取り込まれた多色印刷物を構成する多色版のうちの１版のみをレタッチソフトにより前記スキャナー装置上に取り出し、潜像部と同一のスクリーン線数とスクリーン角度でなる平網像を重ね合わせてその潜像部にモアレを発生せしめることを特徴とする潜像を有する多色印刷物の顕像化方法としたものである。
【００１３】
上記請求項３の発明によれば、上記潜像を有する多色印刷物の網点を強調してスキャナー装置に取り込むので、尖鋭度の高い網点の画像が取り込まれ、その取り込まれた多色印刷物を構成する多色版のうちの１版の非潜像部と潜像部のみをレタッチソフトによりスキャナー装置のディスプレイ上に取り出し、それに前記潜像部と同一のスクリーン線数とスクリーン角度でなる平網像を合成することによって、鮮明なモアレが潜像部に発生する潜像を有する多色印刷物の顕像化方法とし、この潜像部の有無で多色印刷物の真偽判定を可能にするものである。
【００１４】
また、請求項４の発明では、上記多色印刷物を構成する多色版のうちの１版が黄版であることを特徴とする請求項３記載の潜像を有する多色印刷物の顕像化方法としたものである。
【００１５】
上記請求項４の発明によれば、上記多色印刷物を構成する多色版のうちの１版を黄版とすることによって、多色印刷物では視認しにくいことに加え、この網点を強調してスキャナー装置に取り込み、取り込まれた多色印刷物を構成する多色版のうちの黄版の非潜像部と潜像部のみをスキャナー装置のディスプレ上に白黒画像として取り込まれ、その潜像部の顕像化がより鮮明なモアレとしてえることができる。
【００１６】
さらにまた、請求項５の発明では、上記平網像の網点面積率は、４０％〜６０％の範囲であることを特徴とする請求項３または４記載の潜像を有する多色印刷物の顕像化方法としたものである。
【００１７】
上記請求項５の発明によれば、平網像の網点面積率を、４０％〜６０％の範囲とすることによって、潜像部に発生するモアレが鮮明なものとなり、真偽判定のし易い潜像を有する多色印刷物の顕像化方法とすることができ、４０％に満たないとモアレが薄過ぎ、逆に６０％を越えると全体が暗くなりモアレ発生の有無が不明となり、真偽判定がしにくくなるので好ましくないものとなる。
【００１８】
上記請求項１でいう集版工程とは、原版作成に必要なカットマスク、文字の合成、写真の合成、平網作業、色分け作業等を行う工程で、近年では、これら作業を集版装置のディスプレイ上で電子的に処理している。
【００１９】
また、上記請求項３、５でいう平網像とは、同じ大きさの網点が並んでできている均一濃度のパターンである。
【００２０】
また上記請求項１、３でいうスクリーン線数とは、網目スクリーンの１インチ（または１ｃｍ）間にある黒線の数で、これによりスクリーンの精粗を表す。例えばカラーの雑誌や商業印刷物では１２０〜２００線／インチの範囲とするのが一般的である。
【００２１】
さらにまた、スクリーン角度とは、網点が並んでいる方向性を表すための、基底線に対する角度をいい、カラー印刷でのスクリーン角度は、例えば図５に示すように、墨版（ＢＬ）を４５°、黄版（Ｙ）を９０°（０°と表現してもよい）として定用し、この黄版（Ｙ）９０°は、直交線は目立ちやすいので、目立たぬ色をもってきたものであり、シアン版（Ｃ）、マゼンタ版（Ｍ）は、７５°（または１５°）、１５°（または７５°）とし、これら版を重ね合わせるとモアレが発生しないようにこのスクリーン角度を調整している。
【００２２】
【発明の実施の形態】
以下本発明の実施の形態を図面を用いて詳細に説明する。
【００２３】
本発明は、偽造、複製の防止等を目的として、例えば図１の上面図に示すように、紙基材（１０）上にバックグランドである非潜像部（２４）中に隠し文字「ＴＯＰ」が潜像部（２２）として施されている４色印刷（２０）でなる潜像を有する多色印刷物（１）に関するものである。
【００２４】
そこで上記請求項１に係る発明は、図７に示すように、例えばスクリーン線数が１７５線／インチの網点で、そのスクリーン角度が黄版（Ｙ）で９０°、シアン版（Ｃ）で７５°、墨版（ＢＬ）で４５°、マゼンタ版（Ｍ）で１５°の４色印刷物において、図１に示すように、それら４色印刷（２０）を構成する４版のうちの１版に非潜像部（２４）とスクリーン角度が異なる隠し文字「ＴＯＰ」が潜像部（２２）が非潜像部（２４）中に施されている潜像を有する多色印刷物（１）である。
【００２５】
また、上記請求項２に係る発明は、上記４色印刷（２０）を構成する４版のうちの１版を黄版としたもので、例えば図７に示すこの黄版（Ｙ）のスクリーン角度は９０°でなり、その黄版（Ｙ）は、例えば図２に示すように、スクリーン角度９０°のバックグランドである非潜像部（２４）に、スクリーン角度３０°の隠し文字「ＴＯＰ」でなる潜像部（２２）が合成されているものである。
【００２６】
このように、黄版（Ｙ）のスクリーン角度９０°（０°）のバックグランドである非潜像部（２４）に対し、図７に示すようにこれより３０°ずらしたスクリーン角度３０°（Ｙａ）の潜像部（２２）としたものである。
【００２７】
上記スクリーン角度が９０°の非潜像部（２４）とスクリーン角度が３０°の潜像部（２２）で構成されている黄版（Ｙ）の作成は、集版工程でマスキング技術による写真的にも合成することができるが、近年では集版装置のディスプレイ上で電子的に合成され、黄版（Ｙ）のフィルム原版として出力されて得られるものである。
【００２８】
上記隠し文字「ＴＯＰ」の潜像部（２２）を有する版を４色版のうちのいずれでもよいが、このように黄版（Ｙ）としたのは、その網点を含め調子なども目立たず、隠し文字「ＴＯＰ」の潜像部（２２）が視認しにくいからであり、他のシアン版（Ｃ）やマゼンタ版（Ｍ）、墨版（ＢＬ）では、視認される危惧があるので、黄版（Ｙ）とするのが好ましい。
【００２９】
黄版（Ｙ）の潜像部（２２）のスクリーン角度を３０°としたが、原則的には非潜像部（２４）の９０°（０°）と後に述べる真偽判定ができる程度異なっていれば構わないが、多色印刷物からすると、この黄版（Ｙ）と混色となるシアン版（Ｃ）やマゼンタ版（Ｍ）のスクリーン角度と同一あるいは極端に近い角度とすると混色のモアレとなって潜像部（２２）が視認される危惧があるので、できればこの角度を避けた方がよい。なお墨版（ＢＬ）との混色モアレは、殆どあり得ない。従って印刷物での混色モアレの点からは上記の３０°に加え、６０°近傍がより好ましい角度である。
【００３０】
また、上記請求項３、４に係る発明は、図１に示す上記潜像を有する多色印刷物（１）の１色版に形成されている潜像部（２２）を顕像化する方法で、例えばこの潜像を有する多色印刷物（１）の４色印刷（２０）をその網点を強調してスキャナー装置に取り込む。この網点の強調とは、例えば図３（ａ）に示すような直径Ｒの円形網点（４０）の大きさを変えずに（画像全体の調子を変えずに）、図３（ｂ）に示すように、その周辺部の濃度が薄く、中心部が濃くなっているものを、図３（ｃ）に示すように、その周辺部の濃度が濃く、中心部が薄くなるようにするいわゆるシャープネス効果をスキャナー装置の操作で成さしめることである。
【００３１】
続いて網点が強調されて取り込まれた４色印刷（２０）の黄版（Ｙ）のみを、図４に示すように、スキャナー装置のディスプレイ（５０）上に取り出す。取り出された黄版（Ｙ）の網点は、シャープネス効果で尖鋭度が増し、スクリーン角度が９０°の非潜像部（２４）をバックグランドとし、それにスクリーン角度が３０°の潜像部（２２）が隠し文字「ＴＯＰ」として合成されているもので、この段階でも潜像部（２２）の隠し文字「ＴＯＰ」が視認されることもあるが、特に偽造防止という点からは問題はない。
【００３２】
上記で得られた尖鋭度の高いディスプレー上の潜像部（２２）と非潜像部（２４）でなる黄版（Ｙ）画像に、図５に示すように上記潜像部と同一のスクリーン線数１７５線／インチ、スクリーン角度３０°の平網像（３０）を電子的に合成すると、図６の拡大図に示すように、潜像部（２２）にはシャープ性（コントラストのある）モアレ（３２）を発生せしめる潜像を有する多色印刷物の顕像化方法である。
【００３３】
上記のように、潜像部（２２）と非潜像部（２４）とのスクリーン角度の差を３０°としているが、この差が３０°に満たないと、この平網像（３０）による顕像化で、潜像部（２２）とともに非潜像部（２４）にもモアレが発生し、真偽の判定がしにくくなる危惧があるので、少なくとも３０°以上とした方が好ましい。
【００３４】
また、上記請求項５に係る発明は、図５に示す平網像（３０）の網点面積率を、４０％〜６０％の範囲とするもので、この網点面積率が４０％に満たないと図６に示す潜像部（２２）のモアレ（３２）が薄過ぎて、真偽判定がしにくく、逆に６０％を越えると非潜像部（２４）を含め画像全体が暗くなってモアレ（３２）の発生の有無が不明となり、真偽判定がしにくくなるので好ましくない。
【００３５】
【発明の効果】
本発明は以上の構成であるから、下記に示す如き効果がある。
即ち、上記請求項１に係る発明において、多色オフセット印刷のための集版工程で、多色印刷物を構成する多色版のうちの１版のみに非潜像部とスクリーン線数が同一でスクリーン角度が異なる網点でなる潜像部が形成されているので、一見してその隠し文字等となる潜像部が視認しにくく、偽造防止効果のある潜像を有する多色印刷物とすることができる。
【００３６】
また、上記請求項２に係る発明においては、上記多色印刷物を構成する多色版のうちの１版を黄版とすることによって、潜像を有する多色印刷物の黄色部は肉眼ではその調子などが見にくいので、それに施されている潜像部は、バックグランドとなる非潜像部との区別が全くつかず、よってその潜像部はほとんど視認することができない潜像を有する多色印刷物とするもので、その結果潜像の存在に気づかず、偽造防止効果をより完全にした潜像を有する多色印刷物を提供できる。
【００３７】
また、上記請求項３、４に係る発明においては、上記潜像を有する多色印刷物の網点を強調してスキャナー装置に取り込むので、尖鋭度の高い網点の画像が取り込まれ、その取り込まれた多色印刷物を構成する多色版のうちの１版、特に黄版の非潜像部と潜像部みをレタッチソフトによりスキャナー装置のディスプレイ上に取り出し、それに前記潜像部と同一のスクリーン線数とスクリーン角度でなる平網像を合成することによって、より鮮明なモアレが潜像部に発生する潜像を有する多色印刷物の顕像化方法とし、この潜像部の有無で多色印刷物の真偽判定を可能にするものである。
【００３８】
さらにまた、上記請求項５に係る発明においては、平網像の網点面積率を、４０％〜６０％の範囲とすることによって、潜像部に発生するモアレが薄くもなく、かつ全体に暗くもなくより鮮明なコントラストのあるものとなり、真偽判定のし易い潜像を有する多色印刷物の顕像化方法とすることがでる。
【００３９】
従って本発明は、隠し文字等機密データが施されている印刷物、特に網点で階調のある多色オフセット印刷物に隠し文字等機密データを施して、その偽造や複製を防止する多色印刷物およびその真偽の判定方法として、優れた実用上の効果を発揮する。
【図面の簡単な説明】
【図１】本発明の潜像を有する多色印刷物の一実施の形態を説明するための上面図である。
【図２】本発明の潜像を有する多色印刷物を構成する色版の一事例を説明するための上面図である。
【図３】本発明の潜像を有する多色印刷物を構成する色版の網点を強調する過程を説明するための概略図である。
【図４】本発明の潜像を有する多色印刷物の顕像化方法の一工程を説明するための上面図である。
【図５】本発明の潜像を有する多色印刷物の顕像化方法の他の一工程を説明するための上面図である。
【図６】本発明の潜像を有する多色印刷物の顕像化方法で得られた画像の一事例を示す拡大上面図である。
【図７】本発明の潜像を有する多色印刷物のスクリーン角度の一事例を示す説明図である。
【図８】従来の潜像を有する印刷物を構成する万線モアレ像の一事例を説明するための上面図である。
【図９】図７に示す万線モアレ像の上面図のＡ部の拡大図である。
【図１０】図７に示す万線モアレ像に万線フィルムを重ね合わせた一事例を説明するための拡大図である。
【図１１】図７に示す万線モアレ像に万線フィルムを重ね合わせた際に浮き上がって見える潜像部の上面図である。
【符号の説明】
１‥‥潜像を有する多色印刷物
３‥‥万線モアレ像
１０‥‥紙基材
２０‥‥４色印刷
２２‥‥潜像部
２４‥‥非潜像部
３０‥‥平網像
３２‥‥モアレ
３４‥‥万線フィルム
３６‥‥可視像
４０‥‥円形網点
５０‥‥ディスプレイ
Ｐ‥‥万線ピッチ
Ｗ‥‥万線幅
【図１】
2004230572.tif 000003
【図２】
2004230572.tif 000004
【図３】
2004230572.tif 000005
【図４】
2004230572.tif 000006
【図５】
2004230572.tif 000007
【図６】
2004230572.tif 000008
【図７】
2004230572.tif 000009
【図８】
2004230572.tif 000010
【図９】
2004230572.tif 000011
【図１０】
2004230572.tif 000012
【図１１】
2004230572.tif 000013